(57)【要約】【課題】  入浴中のユーザーが、足首を無理に曲げることなく自然な姿勢のままでくつろぎながら、足裏を噴流で刺激して快適にマッサージすることが可能な循環式浴槽を提供する。【解決手段】  循環式浴槽１は、浴槽の湯水２を循環させて噴流３を発生させている。入浴中のユーザー６が足７を載せることができる足置き部１０が、浴槽の一方側部１１に傾斜して設けられている。足置き部には、足裏１２に向けて噴流を噴出するための足裏用吐き出し口部１３が設けられている。【選択図】    図１
2005287541.tif 000002
【特許請求の範囲】
【請求項１】
浴槽の湯水を循環させて噴流を発生させる循環式浴槽において、
入浴中のユーザーが足を載せることができる足置き部を、前記浴槽の一方側部に傾斜して設け、
前記足置き部には、足裏に向けて前記噴流を噴出するための足裏用吐き出し口部を設けたことを特徴とする循環式浴槽。
【請求項２】
請求項１に記載の循環式浴槽であって、前記足置き部には、一対の前記足裏用吐き出し口部と、前記足裏のつぼを刺激可能な足つぼ用突起部とを設けたことを特徴とする循環式浴槽。
【請求項３】
請求項１または２に記載の循環式浴槽であって、前記足裏用吐き出し口部は、前記足裏との間に隙間を形成するために窪み部を有していることを特徴とする循環式浴槽。
【請求項４】
請求項２に記載の循環式浴槽であって、
前記足裏用吐き出し口部は、前記足裏との間に隙間を形成するために窪み部を有しており、
前記足置き部の前記足裏用吐き出し口部の開口，前記足つぼ用突起部および前記窪み部が、所定形状を有する一体カバーによって形成されていることを特徴とする循環式浴槽。
【請求項５】
請求項３または４に記載の循環式浴槽であって、前記足置き部には、前記足裏用吐き出し口部の前記窪み部と浴槽内部とを常時連通可能な溝部が形成されていることを特徴とする循環式浴槽。
【請求項６】
請求項１ないし５のいずれかの項に記載の循環式浴槽であって、前記足置き部は、前記浴槽の内部を光で演出するための照明具を有していることを特徴とする循環式浴槽。
【請求項７】
請求項１ないし６のいずれかの項に記載の循環式浴槽であって、
前記浴槽は、入浴して自然な状態で体を伸ばしているユーザーの背中に沿ってこの背中を支持する背もたれ部を前記浴槽の他方側部に有し、この背もたれ部には、ユーザーに向けて前記噴流を噴出するための背もたれ部用吐き出し口部が設けられていることを特徴とする循環式浴槽。
【発明の詳細な説明】
【技術分野】
【０００１】
本発明は、浴槽の湯水を循環させて足裏などに向けて噴流を噴出させることができる循環式浴槽に関する。
【背景技術】
【０００２】
近年は、健康志向の高まりによって、浴槽の湯水を循環させて噴流を発生させる循環式浴槽（たとえば、ジェット噴流バス）が普及している。
特許文献１（特開２００３−１０２６３２号公報）にも循環式浴槽が記載されており、この循環式浴槽は、循環ポンプなどを含む循環配管路を、浴槽の外部に設けて浴槽と接続している。
そして、浴槽の底面に近い壁面には湯水の吸込み口を設け、この吸込み口より高い位置の浴槽壁面には、湯水と気泡を噴出するための吐き出し口が設けられた構造になっている。この吐き出し口から噴出する噴流が、入浴中のユーザーの腰などに当たって、こりや疲れが効果的に緩和される。
【０００３】
ところで、入浴中のユーザーの足裏に噴流を当てるとリラックス効果が得られることも知られている。たとえば、特許文献２（特開２００３−１０２７４号公報）には、浴槽の底壁に設けられた孔から噴流を発生させるようにした噴流ノズル型浴槽が提案されている。
【特許文献１】特開２００３−１０２６３２号公報
【特許文献２】特開２００３−１０２７４号公報
【発明の開示】
【発明が解決しようとする課題】
【０００４】
特許文献１に記載の循環式浴槽は、噴流をユーザーの腰などに当てることはできるが、足裏に向けて噴流を当てるようにはなっていない。
一方、特許文献２に記載の噴流ノズル型浴槽は、浴槽の底壁から噴出する噴流を足裏に当てることはできるが、その場合、入浴中のユーザーは足首を無理に曲げた不自然な姿勢をとらなければならなかった。
【０００５】
本発明は、このような課題を解決するためになされたもので、入浴中のユーザーが、足首を無理に曲げることなく自然な姿勢のままでくつろぎながら、足裏を噴流で刺激して快適にマッサージすることが可能な循環式浴槽を提供することを目的とする。
【課題を解決するための手段】
【０００６】
上述の目的を達成するため、本発明にかかる循環式浴槽は、浴槽の湯水を循環させて噴流を発生させる循環式浴槽において、入浴中のユーザーが足を載せることができる足置き部を、前記浴槽の一方側部に傾斜して設け、前記足置き部には、足裏に向けて前記噴流を噴出するための足裏用吐き出し口部を設けている。
前記足置き部には、一対の前記足裏用吐き出し口部と、前記足裏のつぼを刺激可能な足つぼ用突起部とを設けるのが好ましい。
また、前記足裏用吐き出し口部は、前記足裏との間に隙間を形成するために窪み部を有しているのが好ましい。
前記足裏用吐き出し口部は、前記足裏との間に隙間を形成するために窪み部を有しており、前記足置き部の前記足裏用吐き出し口部の開口，前記足つぼ用突起部および前記窪み部が、所定形状を有する一体カバーによって形成されているのが好ましい。
前記足置き部には、前記足裏用吐き出し口部の前記窪み部と浴槽内部とを常時連通可能な溝部が形成されているのが好ましい。
前記足置き部は、前記浴槽の内部を光で演出するための照明具を有しているのが好ましい。
前記浴槽は、入浴して自然な状態で体を伸ばしているユーザーの背中に沿ってこの背中を支持する背もたれ部を前記浴槽の他方側部に有し、この背もたれ部には、ユーザーに向けて前記噴流を噴出するための背もたれ部用吐き出し口部が設けられているのが好ましい。
【発明の効果】
【０００７】
本発明の循環式浴槽は、上述のように構成したので、入浴中のユーザーは、足首を無理に曲げることなく自然な姿勢のままでくつろぎながら、足裏を噴流で集中的に刺激して快適にマッサージすることができる。
【発明を実施するための最良の形態】
【０００８】
下記の実施例では、足置き部を浴槽の一方側部に傾斜して設け、この足置き部には、足裏に向けて噴流を噴出するための足裏用吐き出し口部を設けることにより、足首を無理に曲げることなく自然な姿勢のままで、足裏を噴流で刺激して快適にマッサージするという目的を実現している。
【実施例】
【０００９】
以下、本発明にかかる実施例を図１ないし図１０を参照して説明する。
図１ないし図１０は本発明の一実施例を示す図で、図１は、循環式浴槽の使用状態を示す正面断面図、図２は図１に示す循環式浴槽の平面図、図３は循環式浴槽の斜視図、図４は、他の方向から見たときの循環式浴槽の斜視図、図５は、循環式浴槽の足置き部を示す斜視図である。
図６は足裏用吐き出し口部の断面図、図７は、足つぼ用突起部の使用状態を示す断面図、図８は照明具の断面図である。図９は足置き部の一体カバーを示す図で、図９（Ａ），（Ｂ）は、それぞれ一体カバーの平面図，断面図、図９（Ｃ），（Ｄ），（Ｅ）は、それぞれ図９（Ａ）のＣ−Ｃ線断面図，Ｄ−Ｄ線断面図，Ｅ−Ｅ線断面図である。図１０は、本実施例の変形例にかかる足置き部の斜視図で、図５相当図である。
【００１０】
図１ないし図５に示すように、循環式浴槽（たとえば、ジェット噴流バス）１は、浴槽の湯水２を循環させて噴流３を発生させる機能を有する浴槽である。循環式浴槽（以下、浴槽という）１では、循環ポンプと循環パイプなどを含む循環配管路４が、浴槽１の外部に設けられている。浴槽１の壁面には、循環配管路４に連通接続された一つ（または、複数）の吸込み口５が設けられている。
入浴中のユーザー６が足７を載せることができる足置き部１０が、浴槽１の一方側部（図１の左方の部位）１１に傾斜して設けられている。足置き部１０には、足裏１２に向けて噴流３を噴出するための一つまたは二つ（ここでは、二つ）の足裏用吐き出し口部１３が設けられている。
この足置き部１０は、噴流３による足裏１２のマッサージと足裏１２のつぼの刺激とを行うための、足裏１２専用の構成部材である。
【００１１】
浴槽１の他方側部（図１の右方の部位）１８には、背もたれ部１５が設けられている。この背もたれ部１５は、入浴して自然な状態で身体を伸ばしているユーザー６の背中１４に沿う形状に形成されて、この背中１４を支持することができる。浴槽１が背もたれ部１５を有しているので、ユーザー６は、身体を伸ばして背もたれ部１５に背中１４をもたせかけ、リラックスした状態で入浴することができる。
背もたれ部１５には、ユーザー６に向けて噴流３を噴出するための一つまたは複数（ここでは、二つ）の背もたれ部用吐き出し口部１６が設けられている。なお、背もたれ部用吐き出し口部１６を省略して、噴流３は足裏用吐き出し口部１３のみから噴出するようにしてもよい。
浴槽１の上部には、循環配管路４の吸気管に連通接続された空気取り入れ口が設けられている。空気は、この空気取り入れ口から吸気管を通って循環パイプに吸引され、この循環パイプを流れる湯水に混入して、足裏用吐き出し口部１３と背もたれ部用吐き出し口部１６からそれぞれ噴流３となって噴出される。
【００１２】
前記構成の浴槽１において、循環ポンプが運転されると、浴槽１内の湯水２が吸込み口５から吸込まれ、吸込み側循環パイプを通って循環ポンプに流入する。この循環ポンプで圧力の上昇した湯水は吐出側の循環パイプを流れ、そして、湯水は、空気取り入れ口と吸気管から流入した空気と混合した後、足裏用吐き出し口部１３と背もたれ部用吐き出し口部１６からそれぞれ噴流３となって浴槽１内に噴出されて循環する。
足裏用吐き出し口部１３から噴出した噴流３は、入浴中のユーザー６の足裏１２に集中的に当たって、足裏マッサージが行われる。また、背もたれ部用吐き出し口部１６から噴出した噴流３は、ユーザー６の腰や背中１４などに当たって、こりや疲れなどが効果的に緩和される。
浴槽１内の湯水２に混じっている毛髪やごみなどは、吸込み口５で吸込まれる時に除去されるので、循環する湯水２は常に清浄に保たれている。
【００１３】
足置き部１０を浴槽１の一方側部１１に傾斜して設けたので、ユーザー６は、入浴した状態で足首を無理に曲げることなく自然な姿勢のままでくつろぎながら、足裏１２を噴流３で集中的に刺激して快適にマッサージすることができる。足置き部１０が傾斜しているので、ユーザー６は足置き部１０に足を載せた状態で浴槽１内で踏ん張りがきくことになり、長時間安心して快適に足裏マッサージができる。
循環配管路４で空気が湯水に混入されるので、噴流３は湯水に気泡１７が混じった状態になっており、この噴流３が、足裏１２，腰，背中１４などに集中的に当たると効率よくマッサージが行われる。なお、噴流３は、気泡１７を含まず湯水のみからなる場合であってもよい。
【００１４】
次に、足置き部１０について説明する。
浴槽１において、その底部２１から一方側部１１の立ち上がり部２２に至る境界部分が傾斜部２３になっており、この傾斜部２３が足置き部１０を構成している。傾斜部２３は、入浴中のユーザー６から見て浴槽１の左右方向のほぼ全体に延びて形成されている。傾斜部２３の傾斜角度は、入浴中のユーザー６が足首を無理に曲げることなく自然な姿勢のままで足置き部１０に足７を載せることができるような所定の角度になっている。
【００１５】
図１ないし図１０に示すように、足置き部１０には、一対の足裏用吐き出し口部１３と、足裏１２のつぼを刺激可能な一対の足つぼ用突起部２４とが設けられている。
一対の足裏用吐き出し口部１３は、入浴中のユーザー６が自然な姿勢のままで両足７を少し開いてそれぞれ載せることができるように、所定距離離れて配置されている。なお、足裏用吐き出し口部１３は、一対設けるのが好ましいが、一つのみ設けた場合であってもよい。
足つぼ用突起部２４は、足裏１２の土ふまず等にあるつぼを押すことができるように、所定形状を有して突出している。一対の足つぼ用突起部２４は、一対の足裏用吐き出し口部１３の近傍に併設され、且つユーザー６から見て左右方向中央部側に配置されている。なお、足つぼ用突起部２４は一つの場合であってもよい。
足裏用吐き出し口部１３に併設して足つぼ用突起部２４を設けたことにより、ユーザー６にとってリラックス効果がさらに高まる。
【００１６】
足裏用吐き出し口部１３は、足裏１２との間に隙間を形成するために窪み部２５を有している。窪み部２５を形成したので、足裏用吐き出し口部１３から噴出した噴流３は足裏１２に当たった後、足裏１２と足置き部１０との間の隙間を通って浴槽１内に流れる。
その結果、足置き部１０に足７を載せても、足裏１２で足裏用吐き出し口部１３を完全に塞いでしまうことがなくなる。したがって、足裏用吐き出し口部１３から噴出する噴流３の流れが止まらないので、循環ポンプに過負荷がかかることがなく、循環ポンプのトラブルを防止することができ安全である。
【００１７】
足置き部１０において足裏用吐き出し口部１３を構成する開口２７，足つぼ用突起部２４および窪み部２５は、一体カバー２６によって形成されている。一体カバー２６は、浴槽１の傾斜部２３に、一般工具で取外し可能に取付けられている。
一体カバー２６は、全体が細長い矩形の所定形状を有し、且つ、足裏１２の形状に対応するように側面視で中央部が膨らんだかまぼこ状に一体形成されている。一体カバー２６には、ユーザー６から見て左右一対の窪み部２５と、この一対の窪み部２５より中央側に位置する一対の足つぼ用突起部２４とが、長手方向に並んで形成されている。
窪み部２５の中心部には、足裏用吐き出し口部１３の開口２７が形成されている。この開口２７には、循環配管路４に接続され噴流３を噴出するためのノズル２８が装着されている。一体カバー２６の中心部には照明用開口３２が形成され、この照明用開口３２には照明具３１が取付けられている。
このように、足置き部１０は、一体カバー２６を有しているので構造がシンプルになり、また、一体カバー２６を一般工具で簡単に取り外し，取り付けして足置き部１０を容易に清掃することができる。
【００１８】
図１０に示す変形例にかかる足置き部１０には、足裏用吐き出し口部１３の窪み部２５と浴槽１の内部とを常時連通可能な溝部３３が形成されている。溝部３３は、ユーザー６から見て左右一対の各窪み部２５から左右方向外方にそれぞれ延びて、一体カバー２６に一体形成されている。
したがって、窪み部２５を覆うように足７を一体カバー２６に載せても、溝部３３が窪み部２５と浴槽１の内部とを常時連通させるので、足裏１２で足裏用吐き出し口部１３を完全に塞いでしまうことがなくなり、循環ポンプに過負荷がかかる可能性がさらに低下し安全である。
【００１９】
本実施例および前記変形例における各足置き部１０は、浴槽１の内部を光で演出するための照明具３１を有している。照明具３１は、一体カバー２６の中心部に形成された照明用開口３２に装着されている。
照明具３１を構成するランプ３４を点灯すれば、透明または着色されたカバー３５を通った光が、気泡１７のある浴槽１の内部を美しく照らして演出するので、リラックス効果がより高くなる。
【００２０】
上述のように、本発明では、ユーザー６が足７を載せるのに最適な位置に足置き部１０を配置し且つこれを最適な形状にしたので、ユーザー６は、入浴した状態でくつろぎながら、足７を足置き部１０に長時間載せたままで、足裏１２を噴流３で刺激してマッサージしたり、足つぼ用突起部２４で足裏１２のつぼを刺激することができる。
また、背もたれ部用吐き出し口部１６を設けたので、ユーザー６は身体を伸ばして背もたれ部１５に背中１４をもたせかけながら、背もたれ部用吐き出し口部１６から噴出した噴流３で腰や背中１４などを刺激してマッサージすることができる。
【００２１】
以上、本発明の一実施例（変形例を含む）を説明したが、本発明は、上述の実施例に限定されるものではなく、本発明の要旨の範囲で種々の変形，付加などが可能である。
なお、各図中同一符号は同一または相当部分を示す。
【産業上の利用可能性】
【００２２】
本発明は、住宅（一戸建て住宅，集合住宅），ホテルなどに設置されるジェット噴流バスのような循環式浴槽に適用可能である。
【図面の簡単な説明】
【００２３】
【図１】図１ないし図１０は本発明の実施例を示す図で、図１は循環式浴槽の使用状態を示す平面断面図である。
【図２】循環式浴槽の平面図である。
【図３】循環式浴槽の斜視図である。
【図４】他の方向から見たときの循環式浴槽の斜視図である。
【図５】循環式浴槽の足置き部を示す斜視図である。
【図６】足裏用吐き出し口部の断面図である。
【図７】足つぼ用突起部の使用状態を示す断面図である。
【図８】照明具の断面図である。
【図９】足置き部の一体カバーを示す図である。
【図１０】本実施例の変形例にかかる足置き部の斜視図で、図５相当図である。
【符号の説明】
【００２４】
１      循環式浴槽
２      湯水
３      噴流
６      ユーザー
７      足
１０    足置き部
１１    一方側部
１２    足裏
１３    足裏用吐き出し口部
１４    背中
１５    背もたれ部
１６    背もたれ部用吐き出し口部
１８    他方側部
２４    足つぼ用突起部
２５    窪み部
２６    一体カバー
２７    開口
３１    照明具
３３    溝部
【図１】
2005287541.tif 000003
【図２】
2005287541.tif 000004
【図３】
2005287541.tif 000005
【図４】
2005287541.tif 000006
【図５】
2005287541.tif 000007
【図６】
2005287541.tif 000008
【図７】
2005287541.tif 000009
【図８】
2005287541.tif 000010
【図９】
2005287541.tif 000011
【図１０】
2005287541.tif 000012